(57)【要約】【課題】３種類の規格のマイクロタイプメモリカードを接続使用できるコネクタを提供する。【解決手段】コネクタは絶縁本体を備え、その前端にメモリカードを空洞に挿入するための挿入口が設けられ、該コネクタの第１組のカード導電端子は、マイクロタイプＭＭＣカードを接続するための１０個の導電端子を含み、その第２端は絶縁本体の前端に延出され、第２組のカード導電端子は、マイクロタイプＳＤカードを接続するための８個の導電端子を含み、その第２端は絶縁本体の後端に延出され、第３組のカード導電端子は、マイクロタイプＭＳカードを接続するための１１個の導電端子を含み、その第２端は絶縁本体の後端に延出され、第１組のカード導電端子、第２組のカード導電端子及び第３組のカード導電端子の第２端はいずれも絶縁本体の下面に位置する、はんだ付け用の接触面／接触ピンを含んでいる。【選択図】図２
0003135526.tif 000002
【実用新案登録請求の範囲】
【請求項１】
絶縁本体を備え、該絶縁本体が水平な上下両面、左右両側面及び前後両端を有しており、
前記絶縁本体には、メモリカードを収納する空洞が設けられ、
前記絶縁本体の前端に、メモリカードを前記空洞に挿入するための挿入口が設けられた、マイクロタイプメモリカード汎用コネクタであって、
マイクロタイプＭＭＣカードに接続するための１０個の導電端子を含み、水平方向に配置され、前記絶縁本体のメモリカードを収納する空洞内に位置する第１端と前記絶縁本体の前端に延出された第２端とを含む第１組のカード導電端子と、
マイクロタイプＳＤカードに接続するための８個の導電端子を含み、水平方向に配置され、前記絶縁本体のメモリカードを収納する空洞内に位置する第１端と前記絶縁本体の後端に延出された第２端とを含む第２組のカード導電端子と、
マイクロタイプＭＳカードに接続するための１１個の導電端子を含み、水平方向に配置され、前記絶縁本体のメモリカードを収納する空洞内に位置する第１端と前記絶縁本体の後端に延出された第２端とを含む第３組のカード導電端子とを備え、
前記第１組のカード導電端子の第２端、前記第２組のカード導電端子の第２端及び前記第３組のカード導電端子の第２端が、いずれも前記絶縁本体の下面に位置する、プリント基板に表面実装するための接触面又はプリント基板に挿入実装するための接触ピンを含むことを特徴とするマイクロタイプメモリカード汎用コネクタ。
【請求項２】
請求項１に記載のマイクロタイプメモリカード汎用コネクタにおいて、
金属製の上蓋を更に含み、該上蓋は前記絶縁本体を覆い、
該上蓋の下面で両側の前端付近に、プリント基板に表面実装するための接地用の接触面又はプリント基板に挿入実装するための接地用の接触ピンが設けられていることを特徴とするマイクロタイプメモリカード汎用コネクタ。
【請求項３】
請求項２に記載のマイクロタイプメモリカード汎用コネクタにおいて、
前記第２組のカード導電端子の第２端と第３組のカード導電端子の第２端は前記絶縁本体の後端に交互に配置され、第３組のカード導電端子の第２端の余った部分は前記絶縁本体の右側に寄り連続的に配置されていることを特徴とするマイクロタイプメモリカード汎用コネクタ。
【請求項４】
請求項３に記載のマイクロタイプメモリカード汎用コネクタにおいて、
前記絶縁本体の後端の一番左側に、さらにＭＭＣカード／ＳＤカード検出用の第１の予備導電端子が設けられていることを特徴とするマイクロタイプメモリカード汎用コネクタ。
【請求項５】
請求項４に記載のマイクロタイプメモリカード汎用コネクタにおいて、
前記絶縁本体の後端の一番右側に、さらにＭＭＣカード／ＳＤカード検出用の第２の予備導電端子が設けられていることを特徴とするマイクロタイプメモリカード汎用コネクタ。
【請求項６】
請求項５に記載のマイクロタイプメモリカード汎用コネクタにおいて、
前記絶縁本体の後端の一番右側で、前記第２の予備導電端子付近の外側に、さらにＭＳカード検出用の第３の予備導電端子が設けられていることを特徴とするマイクロタイプメモリカード汎用コネクタ。
【請求項７】
請求項６に記載のマイクロタイプメモリカード汎用コネクタにおいて、
前記絶縁本体の左右両側に、さらにそれぞれ前記金属製の上蓋と連接する金属製の弾性片が設けられ、該両弾性片は、空洞内にマイクロタイプＳＤカード又はマイクロタイプＭＭＣカードを挿入する場合に、絶縁本体側端に位置するＭＭＣカード／ＳＤカード検出用の予備導電端子と導通され、空洞内にマイクロタイプＭＳカードを挿入する場合に、該両弾性片は外側に押し出されて、ＭＳカード検出用の予備導電端子と切断されることを特徴とするマイクロタイプメモリカード汎用コネクタ。
【請求項８】
請求項１乃至請求項７のいずれかに記載のマイクロタイプメモリカード汎用コネクタにおいて、
第３組のカード導電端子において、マイクロタイプＭＳカード電源に対応する二個の導電端子が階段状のフォーク状構造を備えることを特徴とするマイクロタイプメモリカード汎用コネクタ。
【請求項９】
請求項８に記載のマイクロタイプメモリカード汎用コネクタにおいて、
前記フォーク状構造は、導電端子分岐点において絶縁本体の下方へ設定位置だけずれ、絶縁本体の前端へ水平方向に延伸する第１の分岐と、導電端子分岐点において絶縁本体の上方へ設定位置だけずれ、絶縁本体の前端へ水平方向に延伸するとともに、第１の分岐の方向へ屈曲した第２の分岐とを含み、
前記第２の分岐の長さは前記第１の分岐の長さより長く、
該第２の分岐に、アームの強さを強めるように、前記絶縁本体の前端に沿って水平方向に延伸して先ず下に折れ、さらに上に折り返した及び／又は先ず上に折れ、さらに下に折り返した突部が設けられていることを特徴とするマイクロタイプメモリカード汎用コネクタ。
【請求項１０】
請求項９に記載のマイクロタイプメモリカード汎用コネクタにおいて、
前記絶縁本体の下表面にさらに取付位置決め用の二個の突起円柱が設けられ、一方の突起円柱の直径が、他方の突起円柱の直径より大きいことを特徴とするマイクロタイプメモリカード汎用コネクタ。
【考案の詳細な説明】
【技術分野】
【０００１】
本考案はコネクタに関し、特に二種以上の異なる適合部材と接続するためのマイクロタイプメモリカード汎用コネクタに関する。
【背景技術】
【０００２】
従来、二種以上の異なる適合部材と接続するためのコネクタは、電子機器において広範に応用され、電子機器の本体の回路と情報記憶媒体としての規格の異なるフラッシュメモリカードをマッチングさせるのに用いられる。数多くのフラッシュメモリカードの中で、ＳＤカード、ＭＭＣカード、及びメモリースティックの３種の規格の製品が主導的地位を占めている。現在、最も小さいサイズは、いずれもｍｉｃｒｏタイプであり、ミリメートル単位で長さ×幅×厚さを表せば、ＳＤカードのｍｉｃｒｏタイプは１５×１１×１であり、ＭＭＣカードのｍｉｃｒｏタイプは１４×１２×１．１であり、メモリースティックのｍｉｃｒｏタイプは１５×１２．５×１．２であり、これら三者のサイズは接近しているが、規格が異なっているので、ＳＤカードのｍｉｃｒｏタイプは8個の接触片を有し、ＭＭＣカードのｍｉｃｒｏタイプは１０個の接触片を有し、メモリースティックのｍｉｃｒｏタイプは１１個の接触片を有している。
【０００３】
中国特許第２００４２００９５１６９．１号には、メモリカード汎用ソケットが公開されている。該ソケットは絶縁材料でなるベース部を備え、該ベース部の前端に、多階段状の異なるメモリカードが収納可能な挿入槽が設けられている。該挿入槽内には収納スペースが形成され、この収納スペース内において、前記ベース部の後端にそれぞれＳＭカードとＭＳカードを挿入接続するための第１及び第２の導電端子が対向配置され、前記ベース部の前端の複数の槽内にＳＤカードとＭＭＣカードとが共用する第３の導電端子が設けられている。前記各導電端子はお互いに分離された領域内に位置し、対応するメモリカードとの接続に適合している。中国特許第０３２０９１２２．２号には、両用メモリカードソケットが公開されている。該ソケットは下部ベースと上部カバーを備える。該下部ベースの内部に、ＭＳＤｕｏカードのフールプルーフ溝と位置決め用の切欠きに応じて、フールプルーフ凸部及び位置決めアームが形成され、ＭＳＤｕｏカードの導通片に応じて、複数のフロント導通片を嵌設し、さらにｍｉｎｉＳＤカードに応じて、複数のリヤ導通片を嵌設し、またｍｉｎｉＳＤカードの挿入深さに応じて検出片と接地片を嵌設して、周縁に組立て用の係止片が形成されている。また、該上部カバーに、該下部ベースの係止片に応じて係止穴が設けられ、カバー面に接するように圧着係止片が形成されている。さらに、圧着係止片をｍｉｎｉＳＤカードの位置定め用の切欠きに対応させるように位置決め凹弧が形成されている。中国特許第２００４２０００７１３２．９号は改良した端子構造を開示しており、主として、本体の一端には、外方に向かってメモリカードが挿入されるスロットが設けられ、他端には、ＳＭＣカード、ＭＳカード、ＳＤカード、ＭＭＣカードの第１端子、第２端子及び第３端子がそれぞれ接続される固定の端子孔と端子台が設けられ、各端子の主部には後方に向かって支持脚が設けれ、各支持脚の末端で折り曲げられてはんだ付け部分が形成され、第１、２、３端子の支持脚は、端子の主部からそれぞれ両側に向かって逸れ、折れ曲がって設けられて互いに接触せず、３種類の端子のはんだ付け部分が整然と並んで設置されている。
【０００４】
これらの従来技術は、２種類以上のフラッシュメモリカードを一つの電子機器で使用するということを実現できるが、一つの電子機器において、３種の規格のｍｉｃｒｏタイプメモリカードと互換して使用するということを満足できるものではなかった。
【特許文献１】中国特許第２００４２００９５１６９．１号明細書
【特許文献２】中国特許第０３２０９１２２．２号明細書
【特許文献３】中国特許第２００４２０００７１３２．９号明細書
【考案の開示】
【考案が解決しようとする課題】
【０００５】
本考案の目的は従来技術に不足しているところを克服することにあり、電子機器のために、既存の３種類の規格のｍｉｃｒｏタイプメモリカードを接続して使用するコネクタを提供することを目的とする。
【課題を解決するための手段】
【０００６】
上記目的を実現するために、本考案はマイクロタイプメモリカード汎用コネクタを製造する。該コネクタは絶縁本体を備え、該絶縁本体が水平な上下両面、左右両側面及び前後両端を有しており、前記絶縁本体には、メモリカードを収納する空洞が設けられ、前記絶縁本体の前端に、メモリカードを前記空洞に挿入するための挿入口が設けられた、マイクロタイプメモリカード汎用コネクタであって、マイクロタイプＭＭＣカードに接続するための１０個の導電端子を含み、水平方向に配置され、前記絶縁本体のメモリカードを収納する空洞内に位置する第１端と前記絶縁本体の前端に延出された第２端とを含む第１組のカード導電端子と、マイクロタイプＳＤカードに接続するため８個の導電端子を含み、水平方向に配置され、前記絶縁本体のメモリカードを収納する空洞内に位置する第１端と前記絶縁本体の後端に延出された第２端とを含む第２組のカード導電端子と、マイクロタイプＭＳカードに接続するための１１個の導電端子を含み、水平方向に配置され、前記絶縁本体のメモリカードを収納する空洞内に位置する第１端と前記絶縁本体の後端に延出された第２端とを含む第３組のカード導電端子とを備え、前記第１組のカード導電端子の第２端、前記第２組のカード導電端子の第２端及び前記第３組のカード導電端子の第２端が、いずれも前記絶縁本体の下面に位置する、プリント基板に表面実装するための接触面又はプリント基板に挿入実装するための接触ピンを含む。
【考案の効果】
【０００７】
従来技術と比較して、本考案に係るマイクロタイプメモリカード汎用コネクタは、電子機器のために、既存の３種類の規格のマイクロタイプメモリカードを接続して使用することができる。
【考案を実施するための最良の形態】
【０００８】
以下、図面を参照して、本考案についてさらに説明する。図１乃至図８に示すように、本考案に係るマイクロタイプメモリカード汎用コネクタの実施例は、絶縁本体１と金属製の上蓋２を備える。該絶縁本体１は水平な上面、下面、左側面、右側面、前端及び後端を備え、絶縁本体１の上下両面間の距離はメモリカードの厚さ方向と一致し、左右両側面間の距離はメモリカードの幅方向と一致し、前後両端間の距離はメモリカードの長さ方向と一致する。該絶縁本体１にはメモリカードを収納する空洞が設けられ、絶縁本体１の前端には、メモリカードを空洞に挿入するための挿入口３が設けられている。該マイクロタイプメモリカード汎用コネクタには、第１組のカード導電端子４と、第２組のカード導電端子５と、第３組のカード導電端子６とをさらに備える。該第１組のカード導電端子４は、マイクロタイプＭＭＣカードに接続するための１０個の導電端子を含み、水平方向に配置され、空洞内に位置する第１端と絶縁本体１の前端に延出された第２端とを含んでいる。該第２組のカード導電端子５は、マイクロタイプＳＤカードに接続するための８個の導電端子を含み、水平方向に配置され、空洞内に位置する第１端と絶縁本体１の後端に延出された第２端を含んでいる。該第３組のカード導電端子６は、マイクロタイプＭＳカードに接続するための１１個の導電端子を含み、水平方向に配置され、空洞内に位置する第１端と絶縁本体１の後端に延出された第２端を含んでいる。第１組のカード導電端子４の第２端、第２組のカード導電端子５の第２端及び第３組のカード導電端子６の第２端は、いずれも絶縁本体１の下面に位置する、プリント基板に表面実装するための接触面又はプリント基板に挿入実装するための接触ピンを含んでいる。
【０００９】
第２組のカード導電端子５の第２端と第３組のカード導電端子６の第２端の一部は絶縁本体１の後端に交互に配置され、第３組のカード導電端子６の第２端の余った部分は絶縁本体１の右側に寄り連続的に配置されている。三組のカード導電端子の具体的なピンの配列は、図３に示されるように、ＭＭＣカードの規格に対応する第１ピン４−１、第２ピン４−２、……、第１０ピン４−１０、ＳＤカードの規格に対応する第１ピン５−１、第２ピン５−２、……、第８ピン５−８、ＭＳカードの規格に対応する第１ピン６−１、第２ピン６−２、……、第１１ピン６−１１を含んでいる。
【００１０】
ＭＳカードの規格の、コネクタの２つの電源接触ピンに対する要求を満たすように、電源正極６８と電源負極６９は他の導電端子とは異なる構造が採用されている。これらの端子６８，６９は、階段状にステップバックし、長短に分かれたアームのフォーク状構造を備えている。該フォーク状構成は、導電端子分岐点において絶縁本体１の下方へ設定位置だけずれ、絶縁本体１の前端へ水平方向に延伸する第１の分岐と、導電端子分岐点において絶縁本体１の上方へ設定位置だけずれ、絶縁本体１の前端へ水平方向に延伸するとともに、第１の分岐の方向へ徐々に屈曲する第２の分岐とを含み、該第２の分岐の長さは第１の分岐の長さより長く、該第２の分岐に、アームの強さを強めるように、絶縁本体１の前端に沿って水平方向に延伸して先ず下に折れ、さらに上に折り返した及び／又は先ず上に折れ、さらに下に折り返した突部が設けられている。
【００１１】
そして、電源正極６８と電源負極６９の２つの第１の分岐は互い隣接し、２つの第２の分岐は外側を囲んでいる。しかしながら、第２の分岐は第１の分岐の方向へ曲がっているので、これらの分岐の末端においては、両者は基本的に同一線上に位置する。
【００１２】
このような階段状の端子構成は、コネクタの加工組立過程において、直接圧入可能であり、従来技術のようにモールディングしなくてもよい。
【００１３】
絶縁本体１の後端の一番左側には、さらにＭＭＣカード／ＳＤカード検出用の第１の予備導電端子８が設けられている。
【００１４】
絶縁本体１の後端の一番右側には、さらにＭＭＣカード／ＳＤカード検出用の第２の予備導電端子１０、即ちＳＤカードの規格に対応可能な第９ピンが設けられている。
【００１５】
絶縁本体１の後端の一番右側には、第２の予備導電端子１０付近の外側に、さらにマイクロタイプＭＳカード検出用の第３の予備導電端子９が設けられている。
【００１６】
このような導電端子の配列により、非常にコンパクトに、本メモリカード汎用コネクタを便利に電気機器の基板にはんだ付けすることができ、コネクタを基板に表面実装することができる。
【００１７】
金属製の上蓋２は絶縁本体１に覆い、該上蓋２の下面で両側の前端付近に、プリント基板に表面実装するための接地用の接触面又はプリント基板に挿入実装するための接地用の接触ピン７が設けられる。これにより、金属製の上蓋２は、コネクタ内の端子とメモリカードの電気的な接続に一定のスクリーン作用を提供する。
【００１８】
絶縁本体１の左右両側にさらにそれぞれ金属製の上蓋２と連接する第２の接地弾性片１３と第１の接地弾性片１２が設けられ、該両弾性片１２，１３は、空洞内にマイクロタイプＳＤカード又はマイクロタイプＭＭＣカードを挿入する場合に、絶縁本体側端に位置するＭＭＣカード／ＳＤカード検出用の予備導電端子と導通され、空洞内にマイクロタイプＭＳカードを挿入する場合に、該両弾性片１２，１３は外側に押し出されて、マイクロタイプＭＳカード検出用の予備導電端子と切断される。
【００１９】
マイクロタイプＳＤカード／ＭＭＣカードを挿入する過程において、図６に示されるように、左側の第１の予備導電端子８と第２の接地弾性片１３とが接触して、右側の第２の予備導電端子１０と第１の接地弾性片１２とが接触する。
【００２０】
マイクロタイプＭＳカードを挿入する過程において、図７に示されるように、左側の第２の接地弾性片１３が弾き出されて、第１の予備導電端子８と第２の接地弾性片１３は接触せず、右側の第１の接地弾性片１２が弾き出されて、第２の予備導電端子１０と第１の弾性片１２は接触しないが、第３の予備導電端子９と第１の接地弾性片１２とが接触する。
【００２１】
このような構成は、電子機器とメモリカードとの間のマッチングに有効なハンドシェーキング信号を提供することができる。
【００２２】
図８はメモリカードを挿入する効果を示す図である。同図に示されるように、（ａ）のメモリカードはマイクロタイプＭＳカードであり、（ｂ）のメモリカードはマイクロタイプＭＭＣカードであり、（ｃ）のメモリカードはマイクロタイプＳＤカードである。第１組のカード導電端子４の第１端と第２組のカード導電端子５の第１端はいずれも絶縁本体１の空洞に挿入されたメモリカードの下面に位置し、第３組のカード導電端子６の第１端は絶縁本体１の空洞に挿入されたメモリカードの上面に位置する。
【００２３】
絶縁本体１の下表面にさらに取付位置決め用の二個の突起円柱１１−１と１１−２が設けられ、突起円柱１１−１の直径は突起円柱１１−２の直径より大きい。
上述した内容は本考案の比較的好ましい実施例に過ぎず、本考案の実施案を制限するものではない。当業者は本考案の主な着想及びその主旨に基づいて、都合の良いように相応の変形や修正をすることができ、本考案の保護範囲は、実用新案登録請求の範囲で要求している保護範囲を基準とすべきである。
【図面の簡単な説明】
【００２４】
【図１】本考案に係るマイクロタイプメモリカード汎用コネクタの実施例の立体構成の概略図である。
【図２】本考案の実施例の正面構成の概略図である。
【図３】本考案の実施例に応用される典型的なプリント基板のレイアウトである。
【図４】本考案の実施例を分解して構成を示す図のその一である。
【図５】本考案の実施例を分解して構成を示す図のその二である。
【図６】本考案の実施例においてマイクロタイプＳＤカード／ＭＭＣカードを挿入する過程を示す図である。
【図７】本考案の実施例においてマイクロタイプＭＳカードを挿入する過程を示す図である。
【図８】本考案の実施例においてメモリカードを挿入した効果を示す図であり、（ａ）におけるメモリカードはマイクロタイプＭＳカードであり、（ｂ）におけるメモリカードはマイクロタイプＭＭＣカードであり、（ｃ）におけるメモリカードはマイクロタイプＳＤカードである。
【符号の説明】
【００２５】
１    絶縁本体
２    上蓋
３    挿入口
４    第１組のカード導電端子
５    第２組のカード導電端子
６    第３組のカード導電端子
８    第１の予備導電端子
９    第３の予備導電端子
１０  第２の予備導電端子
１２  第１の接地弾性片
１３  第２の接地弾性片
【図１】
0003135526.tif 000003
【図２】
0003135526.tif 000004
【図３】
0003135526.tif 000005
【図４】
0003135526.tif 000006
【図５】
0003135526.tif 000007
【図６】
0003135526.tif 000008
【図７】
0003135526.tif 000009
【図８】
0003135526.tif 000010